(57)【特許請求の範囲】
【請求項１】
取付部に取り付けられる照明装置において、
貫通孔が形成された底面部を有する凹部を備えた器具本体と、
光源部に電力を供給する電源部を有し、前記電源部が前記底面部と対向した状態で前記凹部に取り付けられた光源ユニットと、
前記取付部に取り付けられる枠部であって、前記器具本体が固定された枠部と、
端子台を備え、前記底面部において前記電源部と対向した面の裏面側に配置された状態で前記枠部に設置された端子台設置部と
を備え、
前記端子台に接続された電線は、前記貫通孔を介して前記凹部の内部に挿入されている照明装置。
【請求項２】
前記端子台に接続された電線は、
前記凹部の内部で前記電源部に接続されている請求項１に記載の照明装置。
【請求項３】
前記端子台設置部は、
前記端子台を収納する箱形状である請求項１または２に記載の照明装置。
【請求項４】
前記枠部は、
前記枠部の内側に突き出し、前記器具本体の前記底面部を固定する固定部を備えた請求項１から３のいずれか１項に記載の照明装置。
【請求項５】
前記枠部は、長辺部と短辺部とを有する長方形であり、
前記固定部は、
前記短辺部から内側に突き出ている請求項４に記載の照明装置。
【請求項６】
前記取付部は、システム天井を形成する天井バーである請求項１から４のいずれか１項に記載の照明装置。
【発明の詳細な説明】
【技術分野】
【０００１】
本発明は、システム天井用の照明装置に関する。
【背景技術】
【０００２】
特許文献１には、システム天井用の蛍光灯照明が開示されている。
従来のシステム天井用の蛍光灯照明器具では、蛍光灯を外すと、その裏面に取り付けられたネジを操作することが可能であった。そのため、このネジを操作することで、容易に反射板を取り外すことができ、作業者が天井裏の確認などを行うことができた。
【先行技術文献】
【特許文献】
【０００３】
【特許文献１】特開２００５−１００８６５号公報
【発明の概要】
【発明が解決しようとする課題】
【０００４】
しかしながら、光源一体形の光源ユニットを用いた照明装置では、光源ユニットや器具本体を外すと、光源ユニットや器具本体に取り付けられた電源や端子台といった電装部品も引き出されることになる。このため、特に、端子台に接続されたＦケーブルによって、器具本体を天井から外すことができず、Ｆケーブルに器具本体が繋がった状態で、作業者が天井裏を確認する必要があり、作業者の作業中、器具本体が邪魔になるという課題があった。
【０００５】
本発明は、Ｆケーブルと端子台を接続した状態で、器具本体をシステム天井から取り外すことができる照明装置を提供することを目的とする。
【課題を解決するための手段】
【０００６】
本発明に係る照明装置は、取付部に取り付けられる照明装置において、貫通孔が形成された底面部を有する凹部を備えた器具本体と、光源部に電力を供給する電源部を有し、前記電源部が前記底面部と対向した状態で前記凹部に取り付けられた光源ユニットと、前記取付部に取り付けられる枠部であって、前記器具本体が固定された枠部と、端子台を備え、前記底面部において前記電源部と対向した面の裏面側に配置された状態で前記枠部に設置された端子台設置部とを備え、前記端子台に接続された電線は、前記貫通孔を介して前記凹部の内部に挿入されている。
【発明の効果】
【０００７】
本発明に係る照明装置は、端子台が底面部の外側に配置されており、端子台に接続された電線が貫通孔を介して凹部に挿入され、電源部と接続されているので、Ｆケーブルと端子台を接続した状態で、器具本体をシステム天井から容易に取り外すことができる。
【図面の簡単な説明】
【０００８】
【図１】実施の形態１に係る照明装置１０を斜め下方から見た斜視図。
【図２】実施の形態１に係る照明装置１０から光源ユニット１４０を取り外した斜視図。
【図３】実施の形態１に係る照明装置１０の分解斜視図。
【図４】実施の形態１に係る照明装置１０の５面図であり、（ａ）は平面図、（ｂ）は側面図、（ｃ）は底面図、（ｄ）は一方の端面図、（ｅ）は他方の端面図。
【図５】実施の形態１に係る光源ユニット１４０を斜め上方から見た斜視図。
【図６】実施の形態１に係る端子台設置部１５０を下方から見た斜視図。
【図７】実施の形態１に係る端子台斜視図１５０の４面図であり、（ａ）は底面図、（ｂ）は端子台側の側面図、（ｃ）は平面図、（ｄ）は端面図、（ｅ）は電線止め部１５７の別例の図。
【図８】図２の状態において、端子台１５１と電源部１４２との接続、及び、器具本体１２０を枠部１１０から取り外す方法を説明する図。
【図９】図３の状態において、端子台１５１と電源部１４２との接続、及び、器具本体１２０を枠部１１０から取り外す方法を説明する図。
【発明を実施するための形態】
【０００９】
以下、本発明の実施の形態について、図を用いて説明する。なお、各図中、同一または相当する部分には、同一符号を付している。実施の形態の説明において、同一または相当する部分については、説明を適宜省略または簡略化する。また、実施の形態の説明において、「上」、「下」、「左」、「右」、「前」、「後」、「表」、「裏」といった配置または向きは、説明の便宜上、そのように記しているだけであって、装置、器具、部品等の配置または向きを限定するものではない。装置、器具、部品等の構成について、材質、形状、大きさ等は、本発明の範囲内で適宜変更することができる。
【００１０】
実施の形態１．
＊＊＊構成の説明＊＊＊
図１から図４を参照して、本実施の形態に係る照明装置１０の構成を説明する。
図１は、本実施の形態に係る照明装置１０を斜め下方から見た斜視図である。図２は、本実施の形態に係る照明装置１０から光源ユニット１４０を取り外した斜視図である。図３は、本実施の形態に係る照明装置１０の分解斜視図である。図４は、本実施の形態に係る照明装置１０の５面図であり、（ａ）は平面図、（ｂ）は側面図、（ｃ）は底面図、（ｄ）は一方の端面図、（ｅ）は他方の端面図である。
【００１１】
なお、本実施の形態の説明において、「上方」、「下方」、「側方」、「前方」、「後方」、「斜め上方」、「斜め下方」といった方向は、照明装置１０が天井に取り付けられているときの方向を示している。「上方」を取付側、取付方向ともいう。また、「下方」を照射側、照射方向ともいう。本実施の形態では、照明装置１０は、例えば、システム天井を形成する天井バー２０のような取付部に取り付けられる。天井バー２０は、例えば、Ｔバーである。しかし、システム天井以外の天井に取り付けられてもよいし、壁等、天井以外を取付部として取り付けられてもよい。
図１に示すように、照明装置１０は、照明器具１３０と、光源ユニット１４０と、端子台設置部１５０とを備える。照明器具１３０は、枠部１１０と、器具本体１２０とを備える。
【００１２】
＜枠部１１０＞
枠部１１０は、図４において点線で示すような天井バー２０に取り付けられる。
図３に示すように、枠部１１０は、長手方向に長い長方形をなす枠形状であり、長手方向の一対の長辺部１１１と、短手方向の一対の短辺部１１２とを有する。すなわち、枠部１１０は、長辺部１１１と短辺部１１２とを有する長方形であり、システム天井において天井バー２０により形成された枠と略同一形状の長方形である。長辺部１１１の長手方向両端部には、天井バー２０に固定される取付具１１３が設けられる。図３に示すように、１つの枠部１１０は、少なくとも４つの取付具１１３が設けられている。
【００１３】
また、枠部１１０には、器具本体１２０が固定される。
枠部１１０は、短辺部１１２から内側に突き出し、後述する器具本体１２０の底面部１２５を固定する固定部１１４を備えている。図３に示すように、固定部１１４は、枠部１１０の照射側の開口面より取付側に引っ込んだ位置に形成される。よって、図１及び図２に示すように枠部１１０の内部に器具本体１２０の取付側の一部が入り込むような形で、底面部１２５が固定部１１４に固定される。固定部１１４に底面部１２５を固定する方法については、後述する。
【００１４】
＜器具本体１２０＞
図２に示すように、器具本体１２０は、凹部１２２と、反射部１２１とを備える。凹部１２２は、貫通孔１２４が形成された底面部１２５を有する。
凹部１２２は、長手方向に延びた溝形状である。底面部１２５は、長手方向に延びた長方形をなす。貫通孔１２４は、底面部１２５の長手方向の略中央部に形成される。貫通孔１２４は、底面部１２５の裏面側、すなわち底面部１２５の取付側に配置された端子台１５１から、凹部１２２の内部に、端子台１５１に接続された電線を通す穴である。
底面部１２５の長手方向両端部には、光源ユニット１４０を取り付ける取付バネ１２３が設けられる。
【００１５】
また、器具本体１２０は、凹部１２２の開口の長手方向に延びた両縁部から、照射側に向かって広がるように形成された反射部１２１を備える。反射部１２１は、光源ユニット１４０から発せられる光を反射する。
【００１６】
ここで、枠部１１０に器具本体１２０を固定する方法について説明する。
上述したように、枠部１１０は、枠部１１０の照射側の開口面より取付側に引っ込んだ位置に固定部１１４が形成されている。この固定部１１４の照射側の面と底面部１２５の裏側の面とを当接させて、ネジ止めすることにより、枠部１１０に器具本体１２０が固定される。具体的には、固定部１１４と底面部１２５との各々にネジ穴が形成され、底面部１２５の側から固定ネジで固定部１１４と底面部１２５とを重ねて固定する。よって、図１及び図２に示すように、枠部１１０の内部に器具本体１２０の取付側の一部が入り込む形で、底面部１２５が固定部１１４に固定される。なお、固定方法は、ネジ止め以外でもよく、ビス止め、あるいはフックのような係合部材を用いてもよい。
また、図３では、固定部１１４にはネジ穴１１４ａが１つ形成され、固定部１１４の１箇所で底面部１２５と固定されている。しかし、固定部１１４にネジ穴を２箇所以上形成し、固定部１１４の２箇所以上で底面部１２５と固定されていてもよい。また、固定部１１４は、短辺部１１２からだけでなく、長辺部１１１から内側に突き出るように形成され、底面部１２５と固定されてもよい。
【００１７】
＜光源ユニット１４０＞
図５は、本実施の形態に係る光源ユニット１４０を斜め上方から見た斜視図である。
光源ユニット１４０は、光源部に電力を供給する電源部１４２を有する。図２に示すように、光源ユニット１４０は、電源部１４２が底面部１２５と対向した状態で凹部１２２に取り付けられる。
図５に示すように、光源ユニット１４０は、長手方向に延びた長方形のフレーム部１４３を備える。図示はないが、フレーム部１４３の照射側の面には、光源部として、ＬＥＤなどの発光素子が実装された発光基板が取り付けられている。また、光源ユニット１４０は、フレーム部１４３の照射側の面に取り付けられた光源部を覆うようにフレーム部１４３に取り付けられたカバー１４１を備える。
【００１８】
また、光源ユニット１４０は、フレーム部１４３の取付側の面に、光源部に電力を供給する電源部１４２を備える。電源部１４２は、外部電源から供給された電力を適切な電力に変換し、光源部に供給する。
電源部１４２は、電線１４２ａと、電線１４２ａの先端部に設けられたコネクタ１４２ｂとを有する。コネクタ１４２ｂは、後述する端子台１５１のコネクタ１５１ｂと接続される。
【００１９】
また、光源ユニット１４０は、フレーム部１４３の取付側の面の長手方向両端部に、凹部１２２の底面部１２５に設けられた取付バネ１２３と係合する取付部材１４４が設けられる。取付バネ１２３と取付部材１４４とが係合することにより、光源ユニット１４０が器具本体１２０の凹部１２２に取り付けられる。光源ユニット１４０が凹部１２２に取り付けられると、フレーム部１４３の取付側の面は凹部１２２の底面部１２５に対向した状態となり、電源部１４２の少なくとも一部は凹部１２２の内部に収納される。
【００２０】
＜端子台設置部１５０＞
図６は、本実施の形態に係る端子台設置部１５０を下方から見た斜視図である。図７は、本実施の形態に係る端子台設置部１５０の４面図であり、（ａ）は底面図、（ｂ）は端子台側の側面図、（ｃ）は平面図、（ｄ）は端面図、（ｅ）は電線止め部１５７の別例の図である。
端子台設置部１５０は、端子台１５１を備える。図２に示すように、端子台設置部１５０は、底面部１２５において電源部１４２と対向した面の裏面側、すなわち底面部１２５の取付側（外側）に配置された状態で枠部１１０に設置されている。
【００２１】
端子台設置部１５０は、端子台１５１を収納する箱形状である。端子台設置部１５０は、取付側の面が開口した開口部１５８を有する金属製の箱である。端子台設置部１５０は、上面部１５４と、枠部１１０の短手方向に沿う一対の第１側面部１５２と、枠部１１０の長手方向に沿う一対の第２側面部１５３とを備える。端子台設置部１５０は、第２側面部１５３の幅が、第１側面部１５２の幅よりも小さい直方体をなしている。
【００２２】
第２側面部１５３の下端部には、枠部１１０の長辺部１１１に固定される枠固定部１５５が形成される。枠固定部１５５にはネジ穴１５５ａが形成される。枠固定部１５５は、図７の（ｂ）に示すように、Ｌ字状に形成され、枠部１１０の長辺部１１１の上面及び側面と当接してネジ止めされる。図４の（ａ）に示すように、枠固定部１５５のネジ穴１５５ａは、枠部１１０の長辺部１１１の上面のネジ穴１１１ａとネジ止めされる。図４の（ａ）に示すように、端子台設置部１５０は、枠部１１０の長手方向において、底面部１２５の貫通孔１２４の真上の位置に形成されることが好ましい。しかし、天井の取付環境に応じて、枠部１１０の長手方向の複数位置に取り付けられるように、長辺部１１１の上面に複数のネジ穴１１１ａを設けておくことが好ましい。
【００２３】
端子台設置部１５０は、一対の第１側面部１５２のうちの一方の第１側面部１５２に、内部に取り付けられた端子台１５１が露出する開口１５２ａが形成される。端子台１５１は、Ｆケーブルが接続される面が開口１５２ａから露出するように一方の第１側面部１５２にネジ１５６によりネジ止めされる。
【００２４】
また、図６及び図７（ａ）に示すように、端子台１５１は、端子台１５１に接続された電線１５１ａと、電線１５１ａの先端に設けられたコネクタ１５１ｂとを備える。上面部１５４の内側の面には、端子台１５１に接続された電線１５１ａを止める電線止め部１５７と、接地のための接地部１５９とが設けられる。電線止め部１５７は、作業者により電線１５１ａが引っ張られた場合に、電線１５１ａが端子台１５１から抜けるのを防止する。電線止め部１５７は、図７（ａ）に示すようなフックに電線１５１ａを巻き付けて使用する構成でもよいし、図７（ｅ）に示すような電線１５１ａを締めて固定する結束バンドのようなものでもよい。
【００２５】
＜端子台１５１と電源部１４２との接続について＞
図８及び図９を用いて、端子台１５１と電源部１４２との接続について説明する。
端子台１５１に接続された電線１５１ａは、貫通孔１２４を介して凹部１２２の内部に挿入される。そして、凹部１２２の内部に挿入された電線１５１ａは、凹部１２２の内部で電源部１４２に接続される。具体的には、端子台１５１の電線１５１ａは、貫通孔１２４を通って凹部１２２の内部に挿入され、端子台１５１の電線１５１ａのコネクタ１５１ｂと電源部１４２の電線１４２ａのコネクタ１４２ｂとが凹部１２２の内部で接続されている。
作業者が光源ユニット１４０を器具本体１２０に取り付ける際は、例えば、以下のような手順で取り付ける。
（１）取付バネ１２３を伸ばして、取付部材１４４と係合させる。このとき、光源ユニット１４０と器具本体１２０とは、取付バネ１２３及び取付部材１４４が係合した状態で、作業者が手を挿入できる程度の間隔を空けることができる。
（２）（１）の状態で、電線１５１ａのコネクタ１５１ｂと電線１４２ａのコネクタ１４２ｂとを接続する。
（３）その後、光源ユニット１４０を押し上げることにより、取付バネ１２３が取付部材１４４を引き上げ、光源ユニット１４０が器具本体１２０に取り付けられる。
【００２６】
＜天井裏等の確認作業の手順について＞
次に、図８及び図９を用いて、作業者が器具本体１２０を枠部１１０から取り外し、天井裏等の確認作業を行う手順について説明する。
（１）作業者は、光源ユニット１４０を下方に引っ張り、光源ユニット１４０と器具本体１２０との間に手を挿入できる程度の間隔を空ける。本実施の形態に係る照明装置１０の取付バネ１２３及び取付部材１４４によれば、光源ユニット１４０を下方に引っ張り、取付バネ１２３を伸ばすことにより、取付バネ１２３及び取付部材１４４が係合した状態で、手を挿入できる程度の間隔を空けることができる。
（２）作業者は、光源ユニット１４０と器具本体１２０との間から、電線１５１ａのコネクタ１５１ｂと電線１４２ａのコネクタ１４２ｂとの結合を解除する。
（３）光源ユニット１４０を器具本体１２０から取り外す。
（４）次に、凹部１２２の底面部１２５の長手方向両端部の固定ネジを取り外すことにより、枠部１１０に取り付けられた器具本体１２０のみを取り外す。このとき、図９に示すように、電線１５１ａは、貫通孔１２４から抜けるので、端子台１５１にＦケーブルが接続されたままで、容易に器具本体１２０を枠部１１０から取り外すことができる。
【００２７】
＊＊＊他の構成＊＊＊
本実施の形態の発光素子は、ＬＥＤ以外の光源を用いてもよい。具体的には、光源として、有機ＥＬ、レーザダイオード等、他の種類の固体発光素子が用いられてもよい。
また、本実施の形態では、照明装置１０は、取付具１１３をシステム天井の天井バーに引っ掛けることで、システム天井に取り付けられるが、ボルト等の固定具によりシステム天井以外の取付部に取り付けられてもよい。
【００２８】
また、図９に示すように、端子台１５１が設置された端子台設置部１５０と枠部１１０とを合わせてフレーム１６０ともいう。なお、フレーム１６０における端子台１５１の位置は、端子台設置部１５０のみではなく、枠部１１０などフレーム１６０のいずれかの位置であればよい。また、本実施の形態では、端子台設置部１５０は、枠部１１０の短手方向に跨って設置された直方体の箱形状であるものとしたが、端子台１５１をフレーム１６０に配置することができれば、円柱、角柱、アームを有する形状等、その他の形状でもよい。また、端子台設置部１５０は、枠部１１０の短手方向に跨って設置されたものでなくてもよく、枠部１１０の長手方向に跨って設置されてもよい。また、端子台設置部１５０は、短手方向あるいは長手方向ではなく、長辺部１１１から短辺部１１２に跨っていてもよい。また、端子台設置部１５０は、ひとつの長辺部１１１のみ、あるいはひとつの短辺部１１２のみに取り付けられていてもよい。
以上のように、本実施の形態に係るフレーム１６０は、器具本体１２０の底面部１２５の裏面側に端子台１５１を配置することができれば、どのような構成であっても構わない。
【００２９】
＊＊＊本実施の形態の効果の説明＊＊＊
本実施の形態に係る照明装置１０によれば、端子台を底面部の外側の枠部に配置する端子台設置部を備えるので、端子台に接続された電線を貫通孔を介して凹部にの内部に挿入することができる。よって、Ｆケーブルと端子台を接続した状態で、器具本体をシステム天井から取り外すことができる。
【００３０】
また、本実施の形態に係る照明装置１０によれば、端子台に接続された電線が凹部の内部で電源部に接続されているので、端子台が凹部の外側に配置されていても、作業者は容易に端子台と電源部との接続を解除することができる。
【００３１】
また、本実施の形態に係る照明装置１０によれば、端子台設置部が端子台を収納する箱形状であり、枠部の短手方向に跨って枠部に取り付けられているので、天井側の取付環境に応じて、容易に端子台の位置を移動させることができる。
【００３２】
以上、本発明の実施の形態について説明したが、この実施の形態のうち、複数の部分を組み合わせて実施してもよい。或いは、この実施の形態のうち、１つの部分を実施してもよい。その他、この実施の形態の内容を、全体として或いは部分的に、どのように組合せて実施しても構わない。
なお、上記の実施の形態は、本質的に好ましい例示であり、本発明、その適用物や用途の範囲を制限することを意図するものではなく、必要に応じて種々の変更が可能である。上記の実施の形態は、本手法の理解を助けるためのものであって、発明を限定するためのものではない。
【符号の説明】
【００３３】
１０  照明装置、２０  天井バー、１１０  枠部、１１１  長辺部、１１１ａ  ネジ穴、１１２  短辺部、１１３  取付具、１１４  固定部、１１４ａ  ネジ穴、１２０  器具本体、１２１  反射部、１２２  凹部、１２３  取付バネ、１２４  貫通孔、１２５  底面部、１３０  照明器具、１４０  光源ユニット、１４１  カバー、１４２  電源部、１４２ａ  電線、１４２ｂ  コネクタ、１４３  フレーム部、１４４  取付部材、１５０  端子台設置部、１５１  端子台、１５１ａ  電線、１５１ｂ  コネクタ、１５２  第１側面部、１５２ａ  開口、１５３  第２側面部、１５４  上面部、１５５  枠固定部、１５５ａ  ネジ穴、１５６  ネジ、１５７  電線止め部、１５８  開口部、１５９  接地部、１６０  フレーム。
【図１】
0006640032.tif 000002
【図２】
0006640032.tif 000003
【図３】
0006640032.tif 000004
【図４】
0006640032.tif 000005
【図５】
0006640032.tif 000006
【図６】
0006640032.tif 000007
【図７】
0006640032.tif 000008
【図８】
0006640032.tif 000009
【図９】
0006640032.tif 000010